(57)【要約】【課題】筐体上方に穿設した排気孔から入った異物のランプユニットまでの侵入を防止可能なプロジェクタ装置を提供する。【解決手段】ランプユニットｆの上方に、傾斜角度Ｉだけ傾斜させた傾斜板ｉを排気流の風路ｏ内に突出させて筐体ａ壁面に配設して、排気孔ｃから風路ｏに侵入する異物を筐体ａ壁面側に案内し、排出孔ｓから筐体ａの外部に排出する。傾斜板ｉは、傾斜配設した異物侵入防止用のフィルタｈの傾斜下方側にフィルタ面に沿って、又は、フィルタｈの傾斜角度Ｈと異なる角度で配設する。互いに対向する筐体ａ壁面に高さ位置を変えて傾斜板ｉと排出孔ｓとを複数箇所配設可能とする。また、傾斜板ｉを配設した壁面に対向する筐体ａ壁面から風路ｏ内に突出するダクトｎや他の傾斜板と、傾斜板ｉとが、垂直方向から見て互いに重なり合う部分が存在するように配設する。傾斜板ｉが、鎧戸様に多段に積み上げたルーバ状の複数枚の板からなっていても良い。【選択図】        図４
2005010234.tif 000002
【特許請求の範囲】
【請求項１】
排気流を排出する排気孔を筐体上方に向けて使用するプロジェクタ装置において、ランプユニットの上方に、前記排気孔から侵入する異物を筐体壁面側に案内する傾斜板を、垂直方向から予め定められた傾斜角度傾斜させて筐体壁面に配設すると共に、該傾斜板が配設された筐体壁面に前記異物を筐体の外部に排出する排出孔を穿設していることを特徴とするプロジェクタ装置。
【請求項２】
請求項１に記載のプロジェクタ装置において、前記ランプユニットの上方に、前記傾斜板と前記排出孔とが、筐体内側の互いに対向する対向壁面に高さ位置を変えて複数箇所配設されていることを特徴とするプロジェクタ装置。
【請求項３】
請求項１又は２に記載のプロジェクタ装置において、垂直方向の最下段に配設される前記傾斜板が、前記ランプユニット上方に垂直方向から予め定められた配設角度だけ傾斜させて配設された異物侵入防止用のフィルタの傾斜下方側に相当する筐体壁面側に、前記傾斜角度だけ傾斜させて配設されていることを特徴とするプロジェクタ装置。
【請求項４】
請求項３に記載のプロジェクタ装置において、垂直方向最下段に配設される前記傾斜板の前記傾斜角度と前記フィルタの前記配設角度とが相等しく、当該傾斜板が前記フィルタの上面側の傾斜面に沿って、前記フィルタの傾斜下方側に配設されていることを特徴とするプロジェクタ装置。
【請求項５】
請求項１乃至４のいずれかに記載のプロジェクタ装置において、前記傾斜板の前記傾斜角度と長さとに関し、当該傾斜板を配設する筐体壁面と対向する対向壁面から、前記排気孔への排気流の風路内に突出する、前記傾斜板を含む突出物が存在している場合、該突出物と当該傾斜板とが、垂直方向から見て互いに重なり合う部分が存在するように、当該傾斜板の前記傾斜角度と前記長さとを決定することを特徴とするプロジェクタ装置。
【請求項６】
請求項１乃至５のいずれかに記載のプロジェクタ装置において、前記傾斜板が複数枚の板からなり、複数枚の板をルーバ状に互いに配設位置をずらして多段に積み上げて配設していることを特徴とするプロジェクタ装置。
【請求項７】
請求項１乃至６のいずれかに記載のプロジェクタ装置において、前記排出孔が穿設された筐体壁面に、該排出孔に接して、前記排気孔の内径よりも大きい径からなる大口径排出孔を穿設していることを特徴とするプロジェクタ装置。
【請求項８】
請求項７に記載のプロジェクタ装置において、前記大口径排出孔には、当該大口径排出孔の孔を塞ぐことができる蓋が着脱自在に備えられていることを特徴とするプロジェクタ装置。
【請求項９】
請求項１乃至８のいずれかに記載のプロジェクタ装置において、前記排出孔に、当該排出孔の孔を塞ぐことができる排出蓋が着脱自在に備えられていることを特徴とするプロジェクタ装置。
【発明の詳細な説明】
【０００１】
【発明の属する技術分野】
本発明は、プロジェクタ装置に関し、特に、プロジェクタ装置の光源である高熱ランプユニットを冷却した高温排気流を上方に排出する、排気用の風路構造を備えたプロジェクタ装置に関する。
【０００２】
【従来の技術】
一般に、プロジェクタ装置のように筐体内にランプユニット等の熱源を有する装置においては、該熱源により発生した熱気を筐体壁部に設けた排気孔を介して外部に排気することによって、筐体内部の温度上昇を抑制するように制御している。
しかしながら、熱源内蔵の従来の装置にあっては、排気孔から、筐体内に異物が侵入することを防止するような手段が特に設けられていなかったため、例えば放熱効果を上げるために可動式ルーバを開放状態に設定すると、排気孔からゴミ等の異物が筐体内に入り込み易くなったり、排気孔に指等を誤って挿入してしまう危険性もあった。
【０００３】
かくのごとき課題を解決するために、特許文献１に示す特開平１０−９０７９４号公報「ルーバ制御機能付プロジェクタ装置及びこの装置の温度制御方法」などの技術が提案されている。図８は、特許文献１に記載のルーバ制御機能付きプロジェクタ装置の排気手段に関する従来技術を示す断面図である。
【０００４】
該特許文献１に記載の技術においては、図８に示すように、プロジェクタ装置を構成する筐体ａ′壁面に設けられた排気孔ｃ′と、排気孔ｃ′を介して筐体ａ′内の高温排気流を排出する排気用のファンｅ′と、排気孔ｃ′を開閉する可動式ルーバｇ′と、排気用のファンｅ′と可動式ルーバｇ′との間に配設され、排気孔ｃ′から筐体ａ′内への異物浸入を防止するフィルタｈ′とを備えると共に、筐体ａ′内部の温度を検知する温度センサｖと、排気孔ｃ′の排気方向の障害物の有無を検知する障害物センサｗと、温度センサｖの検知情報と障害物センサｗの検知情報とに基づき、排気用のファンｅ′の回転と可動式ルーバｇ′の開閉位置との制御を行なう制御回路部ｘとからなる排気制御手段ｚを具備している。
【０００５】
而して、プロジェクタ装置の筐体ａ′に取り付けられた排気用のファンｅ′の回転と可動式ルーバｇ′の開閉位置とを制御する排気制御手段ｚを備えることにより、排気孔ｃ′付近に障害物等があっても十分な放熱効果が得られると共に、排気孔ｃ′から筐体ａ′内部への異物の侵入をフィルタｈ′により防止することを可能としている。
【０００６】
従来技術におけるプロジェクタ装置の放熱用の風路に関して、図９乃至図１１を用いて、別の角度から更に説明する。図９は、従来技術におけるプロジェクタ装置を横置き型で使用する場合の外観を示す外観図であり、図９（Ａ）は正面図、図９（Ｂ）は平面図、図９（Ｃ）は側面図をそれぞれ示している。
また、図１０は、図９に示す横置き型で使用するプロジェクタ装置の側面キャビネットを剥離した状態の側面を示す側面キャビネット剥離図である。
また、図１１は、従来技術におけるプロジェクタ装置を縦置き型で使用する場合の各面のキャビネットを剥離した状態を示すキャビネット剥離図であり、図１１（Ａ）は平面図、図１１（Ｂ）は正面図、図１１（Ｃ）は図１１（Ｂ）のＸ−Ｘから矢視した側面断面図である。
【０００７】
プロジェクタ装置を図９に示すように横置き型で使用する場合には、床面Ｆに設置した状態で、図９（Ｃ）の側面図の紙面左方向に配置されている投射レンズｂから画像をスクリーンに対して投射する。ここで、横置き型で使用する場合、図１０の側面キャビネット剥離図に示すように、基板ｒは設置床面Ｆに対して水平な位置に配列されており、基板ｒ上に搭載されている発熱体ｔから発せられた熱気Ｔは、図９（Ｃ）の側面図に示す冷却孔ｄから流入した空気（吸気流）により冷却されて、熱せられた空気（排気流）は、横方向に配置されているファンｅにより吸気されて排気孔ｃから筐体ａの外部に排出される。しかし、筐体ａ上部に対流しようとする熱気Ｔは、基板ｒに遮られて筐体ａ内に籠もってしまい、基板ｒに搭載されている回路部品の正常な動作を妨げる恐れが生じる。
【０００８】
一方、プロジェクタ装置を図１１に示す縦置き型で使用する場合には、図１１（Ｂ）の正面図に示すように、床面Ｆに底脚ｍを介して設置した状態で、図１１（Ｂ）の正面図の紙面右方向に配置されている投射レンズｂから画像をスクリーンに対して投射する。ここで、縦置き型で使用する場合、図１１（Ｂ）の正面図の左側に示すように、基板ｒは床面Ｆに対して垂直な位置に配列され、基板ｒ上にある各種の発熱体ｔから発せられた熱気Ｔは、正面図の右上方に配置されたファンｅにより吸気されると共に、基板ｒに遮られることなく、部品の間を縫って上昇し対流して排気孔ｃから確実に筐体ａの外部に放出される。
【０００９】
また、ランプユニットｆを冷却する空気は、図１１（Ｂ）の正面図におけるＸ−Ｘ矢視方向からの断面を示す図１１（Ｃ）の側面断面図に示すように、吸気流Ａｉとして、筐体ａ側面下部あるいは底面に設けられた冷却孔ｄ（図示していない）を介して、ランプ交換用に開閉するランプドアｋあるいは底面に備えられた吸気孔ｌから侵入し、ランプユニットｆを冷却し、熱くなった排気流Ａｏは風路ｏを通って排気用のファンｅにより筐体ａの上面部に穿設されている排気孔ｃから排出される。
【００１０】
また、縦置き型の場合におけるランプユニットｆの上方には、図１１（Ｃ）の側面断面図のように、一般的に、ランプユニットｆに対する放熱効果を確保しつつ、筐体ａの上方に開放されている排気孔ｃからの異物の侵入を防止するための粗い網目からなるフィルタｈ′と、ランプユニットｆからの直接的な洩れ光を防止するためのルーバｇとが、投射レンズｂなどを覆うためのシャーシやダクトｎと筐体ａの壁面との間の風路ｏを横切って配置されている。しかしながら、筐体ａの上方に向けて開放されている排気孔ｃからは、異物侵入防止用のフィルタｈ′の網目よりも小さな異物や流動物が、図１１（Ｃ）に示す侵入径路Ｂ′のように侵入してしまう場合があり、侵入した異物や流動物が高熱のランプユニットｆに接触してランプの破裂や感電を引き起こす危険性が残存している。
【００１１】
【特許文献１】
特開平１０−９０７９４号公報（第３−４頁、第１図）
【００１２】
【発明が解決しようとする課題】
一般に、プロジェクタ装置は、図９に示すような横置き型で使用されることが多く、また、横方向即ち水平方向には広い面積を確保できることから、多くの部品を搭載する基板ｒも水平に設けられることが多い。
一方、横置き型の場合、基板ｒを水平に幾段も重ねると、基板ｒ上の発熱体ｔから発した熱気Ｔは、幾段にも水平方向に配置された基板ｒに遮られて、筐体ａ上方向には放出されない状態になる。プロジェクタ装置が小型になればなるほど、基板ｒの端部と筐体ａとの間隙も少なくなり、熱気Ｔは基板ｒに遮られて籠もってしまい、基板ｒ上に搭載される回路部品に悪影響を及ぼし、場合によっては、プロジェクタ装置の動作不良に陥ることもある。
【００１３】
これに反して、プロジェクタ装置を図１１に示すような縦置き型で使用する場合には、前述のごとく、基板ｒの配置は垂直方向となり、基板ｒの回路部品やランプユニットｆを効率良く冷却することができる。
即ち、放熱効率を向上させるためには、プロジェクタ装置を横置き型で使用するよりも縦置き型で使用する方がより有利になる。しかしながら、前述のごとく、大きな開口部を有する排気孔ｃを筐体ａ上方に向けて配置する縦置き型で使用する場合には、排気口ｃからの異物や流動物の侵入に関する課題が発生してしまう。
【００１４】
本発明は、かかる事情に鑑みてなされたものであり、排気流を排出する排気孔を筐体上方に向けて使用する縦置き型のプロジェクタ装置においても、ランプユニットの上方に、排気孔から侵入する異物や流動物を筐体壁面に案内するために垂直方向から予め定められた傾斜角度だけ傾斜させた傾斜板を備え、かつ、該傾斜板により案内されて筐体壁面に集められた異物や流動物を筐体の外部へ排出する排出孔を該傾斜板が当接する筐体壁面に穿設することにより、たとえ、上方向に開放されている排気孔から異物や流動物が侵入してきたとしても、高温のランプユニットに侵入する前に排出し、もって、高温のランプユニットに異物や流動物が接触してランプの破裂や感電を引き起こす事態を防止可能とするプロジェクタ装置を提供することを目的としている。
【００１５】
【課題を解決するための手段】
第１の技術手段は、排気流を排出する排気孔を筐体上方に向けて使用するプロジェクタ装置において、ランプユニットの上方に、前記排気孔から侵入する異物を筐体壁面側に案内する傾斜板を、垂直方向から予め定められた傾斜角度傾斜させて筐体壁面に配設すると共に、該傾斜板が配設された筐体壁面に前記異物を筐体の外部に排出する排出孔を穿設しているプロジェクタ装置とすることを特徴とするものである。
【００１６】
第２の技術手段は、前記第１の技術手段に記載のプロジェクタ装置において、前記ランプユニットの上方に、前記傾斜板と前記排出孔とが、筐体内側の互いに対向する対向壁面に高さ位置を変えて複数箇所配設されているプロジェクタ装置とすることを特徴とするものである。
【００１７】
第３の技術手段は、前記第１又は第２の技術手段に記載のプロジェクタ装置において、垂直方向の最下段に配設される前記傾斜板が、前記ランプユニット上方に垂直方向から予め定められた配設角度だけ傾斜させて配設された異物侵入防止用のフィルタの傾斜下方側に相当する筐体壁面側に、前記傾斜角度だけ傾斜させて配設されているプロジェクタ装置とすることを特徴とするものである。
【００１８】
第４の技術手段は、前記第３の技術手段に記載のプロジェクタ装置において、垂直方向最下段に配設される前記傾斜板の前記傾斜角度と前記フィルタの前記配設角度とが相等しく、当該傾斜板が前記フィルタの上面側の傾斜面に沿って、前記フィルタの傾斜下方側に配設されているプロジェクタ装置とすることを特徴とするものである。
【００１９】
第５の技術手段は、前記第１乃至第４の技術手段のいずれかに記載のプロジェクタ装置において、前記傾斜板の前記傾斜角度と長さとに関し、当該傾斜板を配設する筐体壁面と対向する対向壁面から、前記排気孔への排気流の風路内に突出する、前記傾斜板を含む突出物が存在している場合、該突出物と当該傾斜板とが、垂直方向から見て互いに重なり合う部分が存在するように、当該傾斜板の前記傾斜角度と前記長さとを決定するプロジェクタ装置とすることを特徴とするものである。
【００２０】
第６の技術手段は、前記第１乃至第５の技術手段のいずれかに記載のプロジェクタ装置において、前記傾斜板が複数枚の板からなり、複数枚の板をルーバ状に互いに配設位置をずらして多段に積み上げて配設しているプロジェクタ装置とすることを特徴とするものである。
【００２１】
第７の技術手段は、前記第１乃至第６の技術手段のいずれかに記載のプロジェクタ装置において、前記排出孔が穿設された筐体壁面に、該排出孔に接して、前記排気孔の内径よりも大きい径からなる大口径排出孔を穿設しているプロジェクタ装置とすることを特徴とするものである。
【００２２】
第８の技術手段は、前記第７の技術手段に記載のプロジェクタ装置において、前記大口径排出孔には、当該大口径排出孔の孔を塞ぐことができる蓋が着脱自在に備えられているプロジェクタ装置とすることを特徴とするものである。
【００２３】
第９の技術手段は、前記第１乃至第８の技術手段のいずれかに記載のプロジェクタ装置において、前記排出孔に、当該排出孔の孔を塞ぐことができる排出蓋が着脱自在に備えられているプロジェクタ装置とすることを特徴とするものである。
【００２４】
以上の技術手段のいずれか１乃至複数を備えることにより、筐体上面部に排気流を排気する排気孔を配置して使用する縦置き型のプロジェクタ装置において、たとえ、上方向に開放されている該排気孔から異物や流動物が侵入してきたとしても、侵入してきた異物を、筐体壁面に設けられた排出孔や大口径排出孔から確実に外部に排出することが可能となり、侵入してきた異物が高温のランプユニットに接触してランプの破裂や感電を引き起こすような事態を防止することが可能である。
【００２５】
更には、侵入してきた異物を筐体壁面の排出孔に案内するための傾斜板を、対向する筐体壁面から排気流の風路内に突出する他の傾斜板やダクトなどの突起物と垂直方向から見た際に互いに重なり合う部分が存在するように配設することにより、筐体上面部に穿設されている排気孔から見た場合に傾斜板に遮られてランプユニットを見通すことができない状態に設定することが可能であり、侵入してきた異物が高温のランプユニットにまで侵入するような事態を更に確実に防止することが可能である。
【００２６】
【発明の実施の形態】
以下に、本発明に係るプロジェクタ装置の実施形態の一例について、図面を参照しながら説明する。尚、従来技術に示した図９乃至図１１と同一の構成要素については同一符号を付しており、かかる同一構成要素に関しては、以下の説明を省略する。
図１は、本発明に係るプロジェクタ装置に関する第１の実施形態を示すプロジェクタ装置の断面図である。図１に示す断面図は、プロジェクタ装置を縦置き型で使用する場合の側面断面図として、図１１（Ｂ）のＸ−Ｘに相当する位置から矢視した状態を示し、従来技術における図１１（Ｃ）に対応した図面である。
【００２７】
図１のランプユニットｆを冷却する空気は、吸気流Ａｉとして、側面下あるいは底面に設けられた吸気孔ｌから侵入し、ランプユニットｆを冷却し、熱せられた排気流Ａｏは、風路ｏを通って、筐体ａの上面部に備えられている排気用のファンｅにより、筐体ａの上面部に穿設された排気孔ｃから筐体ａの外部に排出される。
【００２８】
ここで、ランプユニットｆの上方には、放熱効果を確保しつつ、排気孔ｃから侵入してくる異物や流動物をランプユニットｆに到達させないようにするために、粗い網目からなる異物侵入防止用のフィルタｈ例えば金網が、垂直方向から予め定められた配設角度Ｈだけ、筐体ａの壁面側に向かって水平面から下降する傾斜を持って（即ち、図１の紙面で右側方向に下降する傾斜を持って）、ダクトｎと筐体ａの対向する壁面との間に配設されている。
【００２９】
更に、配設角度Ｈだけ傾斜して配設されたフィルタｈの傾斜下方側に相当する筐体ａ壁面側には、予め定められた傾斜角度Ｉだけ傾斜されて、筐体ａ壁面に接するように傾斜板ｉが形成されており、傾斜板ｉの下端部ｉａが筐体ａ壁面に当接して配設されている。ここで、図１に示す実施例においては、傾斜板ｉの傾斜角度Ｉとフィルタｈの配設角度Ｈとが相等しく、傾斜板ｉがフィルタｈの上面の傾斜面に沿ってフィルタｈの傾斜下方側に配設されており、傾斜板ｉの上端部ｉｂは、フィルタｈの上面側に当接し、傾斜して配設されたフィルタｈ上に集められた異物や流動物も、傾斜板ｉの上面を伝って、筐体ａ壁面に案内される例を示している。
【００３０】
また、傾斜板ｉの下端部ｉａが当接する筐体ａ壁面部の上方側（即ち、当接した傾斜版ｉの上面側）には、排出孔ｓが穿設されており、排気孔ｃから侵入してきた異物や流動物を傾斜板ｉにより筐体ａ壁面まで案内して、筐体ａ壁面に集められた異物や流動物を、排出孔ｓを介して筐体ａの外部に排出するように構成されている。
かくのごとき構成を用いることにより、プロジェクタ装置を縦置き型にして使用する場合において、筐体ａの上面部の排気孔ｃから侵入してきた異物や流動物は、破線で示す侵入径路Ｂに示すように、傾斜角度Ｉだけ傾斜された傾斜板ｉに沿って排出孔ｓから筐体ａの外部に排出されるので、高温のランプユニットｆに異物や流動物が侵入することが無く、ランプの破裂や感電を確実に防止することができる。
【００３１】
次に、本発明に係るプロジェクタ装置の第２の実施形態について説明する。図２は、本発明に係るプロジェクタ装置に関する第２の実施形態を示すプロジェクタ装置の断面図である。図２に示す断面図は、図１の場合と同様に、プロジェクタ装置を縦置き型で使用する場合の側面断面図として、図１１（Ｂ）のＸ−Ｘに相当する位置から矢視した状態を示し、従来技術における図１１（Ｃ）に対応した図面である。
【００３２】
図１に示す第１の実施形態の場合と同様に、ランプユニットｆの上方には、フィルタｈが、配設角度Ｈだけ、筐体ａ側に向かって水平面から下降する傾斜を持って（即ち、図２の紙面上右側方向に下降する傾斜を持って）、ダクトｎと筐体ａの壁面との間に配設されている。更に、傾斜して配設されたフィルタｈの傾斜下方側には、フィルタｈの上面に沿って複数枚の板からなる傾斜板ｊ１，ｊ２，ｊ３が鎧戸様に（即ち、鎧戸のように少しずつ配設位置を互いにずらした状態で）多段に積み上げられたルーバ状に形成されて、最下部に配置された傾斜板ｊ３の最下端部ｊａは筐体ａ内面に接するように配設され、傾斜板ｊ３の下端部が当接する筐体ａ壁面部の上方（即ち、当接した傾斜板ｊ３の上面側）には、図１の場合と同様に、排出孔ｓが穿設されている。
【００３３】
なお、図２には、３枚の傾斜板ｊ１，ｊ２，ｊ３の場合を示しているが、本発明は、３枚に限るものではなく、任意の複数枚からなっていても構わない。また、図２には、ルーバ状に形成された傾斜板ｊ１，ｊ２，ｊ３の各板の垂直方向からの傾斜角度Ｊ１，Ｊ２，Ｊ３が、互いに相等しく、かつ、フィルタｈとの垂直方向からの配設角度Ｈとも等しい場合であり、かつ、複数枚の傾斜板ｊ１，ｊ２，ｊ３の最下部に配置された傾斜板ｊ３はフィルタｈの上面に沿って配設されている例を示しているが、本発明は、傾斜板ｊ１，ｊ２，ｊ３の各板の垂直方向からの傾斜角度Ｊ１，Ｊ２，Ｊ３が、互いに異なるようにしても良いし（例えば、筐体ａ壁面に近づくほど、垂直方向からの傾斜角度を大きくし、Ｊ１＜Ｊ２＜Ｊ３と設定するようにしても良いし）、傾斜板ｊ１，ｊ２，ｊ３の各傾斜角度Ｊ１，Ｊ２，Ｊ３も、フィルタｈの配設角度Ｈと異なる角度からなっているようにしても構わない。
【００３４】
複数枚の傾斜板ｊ１，ｊ２，ｊ３をルーバ状に配置することにより、冷却のための吸気流Ａｉの流れをより良くして、放熱効果をより効果的にすると共に、排気孔ｃから侵入してくる異物や流動物は、破線で示す侵入径路Ｂに示すように、ルーバ状に形成された傾斜板ｊ１，ｊ２，ｊ３に沿って排出孔ｓから筐体ａの外部に排出されるので、高温のランプユニットｆに異物や流動物が侵入することが無く、ランプの破裂や感電を確実に防止することができる。
【００３５】
次に、本発明に係るプロジェクタ装置の第３の実施形態について説明する。図３は、本発明に係るプロジェクタ装置に関する第３の実施形態を示すプロジェクタ装置の断面図である。図３に示す断面図は、図１の場合と同様に、プロジェクタ装置を縦置き型で使用する場合の側面断面図として、図１１（Ｂ）のＸ−Ｘに相当する位置から矢視した状態を示し、従来技術における図１１（Ｃ）に対応した図面である。
【００３６】
排気流Ａｏを効率良く排出するためには、筐体ａの上面部に穿設される排気孔ｃの内径寸法は出来るだけ大きい方が良いが、排気孔ｃを大きくした場合には、大きな異物が入り込み易くなってしまう。
排気孔ｃから大きな異物が侵入してきても、筐体ａの壁面から外部に取り出すことができるように、図３においては、図１や図２に示す排出孔ｓのような小さな径の孔のみではなく、異物の侵入口となる排気孔ｃの内径よりも大きい径を形成した大口径排出孔ｕを、傾斜板ｉの下端部が当接する排出孔ｓと接して（即ち連続して）、筐体ａの壁面部に穿設すると共に、該大口径排出孔ｕの孔を塞ぐことができる蓋即ちカバーｐを、カバー爪ｑにより着脱自在に取り付ける構成としている。
【００３７】
かかる構成とすることにより、蓋即ちカバーｐにより大口径排出孔ｕを塞いで使用していた状況であっても、排気孔ｃから大きな異物が誤ってプロジェクタ装置の筐体ａ内に入ってしまった場合には、カバー爪ｑを操作してカバーｐを取り外せば、傾斜板ｉの筐体ａ壁面側に留まっている大きな異物を大口径排出孔ｕから筐体ａの外部に取り出すことができる。なお、図３に示すように、大口径排出孔ｕの孔を塞ぐ蓋即ちカバーｐとは別個に、大口径排出孔ｕよりも小さな径の孔からなる排出孔ｓについても、当該排出孔ｓの孔を塞ぐことができる排出蓋ｐ′を着脱自在に備えるようにしても良い。
【００３８】
次に、本発明に係るプロジェクタ装置の第４の実施形態について説明する。図４は、本発明に係るプロジェクタ装置に関する第４の実施形態を示すプロジェクタ装置の断面図である。図４に示す断面図は、図１の場合と同様に、プロジェクタ装置を縦置き型で使用する場合の側面断面図として、図１１（Ｂ）のＸ−Ｘに相当する位置から矢視した状態を示し、従来技術における図１１（Ｃ）に対応した図面である。
【００３９】
図１に示したように、例えば、傾斜板ｉを取り付ける筐体ａの壁面と対向する壁面に取り付けられている、投射レンズｂなどを覆うシャーシやダクトｎなどが傾斜板ｉと対向する方向から風路ｏ内に突出している場合に、図４は、筐体ａの壁面側に向かって水平面から下降する傾斜を持つ傾斜板ｉの長さＬ及び傾斜角度Ｉを、シャーシやダクトｎなどの突出物の風路ｏ内への突出量との関係を基にして、決定する場合を示している。
【００４０】
即ち、図４においては、傾斜板ｉが配設される筐体ａ壁面と対向する対向壁面側からの風路ｏ内への突出物であるダクトｎと該ダクトｎの下方側に傾斜して配設される傾斜板ｉとが、垂直方向から見て互いに重なり合う部分が存在する状態となるように、傾斜板ｉの長さＬや傾斜角度Ｉを決定している状態を示している。而して、筐体ａ上面部に穿設されている排気孔ｃから見た場合に、傾斜板ｉに遮られて、ランプユニットｆを見通すことができない状態にすることを可能とし、もって、排気孔ｃから侵入してきた異物や流動物が傾斜板ｉにより筐体ａ壁面に案内されて、高温のランプユニットｆにまで侵入する事態をより確実に防止することを可能にしている。
【００４１】
言い換えれば、ダクトｎと傾斜板ｉとが重なり合う度合いを示す重なり幅Ｄを、ダクトｎの風路ｏ内に最も突出した最先端部ｎａと傾斜板ｉの風路ｏ内に最も突出した上端部ｉｂとの間の水平距離を用いて示すと、
Ｄ  ＝  （ｎａの水平位置）−（ｉｂの水平位置）
で表される。ここで、ｎａの水平位置及びｉｂの水平位置は、水平方向の座標の原点が風路ｏ内に突出するダクトｎ側が存在する筐体ａ壁面位置（即ち図４に示す断面図の筐体左側壁面位置）にあるものとして図４の紙面右方向に位置するほど大きい値を示すものとする。
上式において、ダクトｎと傾斜板ｉとの両者が垂直方向から見て互いに重なり合う部分が存在する状態となる場合とは、少なくとも、Ｄ＞０の関係が成立する場合である。
【００４２】
即ち、少なくともＤ＞０の関係が成立するように、傾斜板ｉの長さＬ及び傾斜角度Ｉを決定して、ダクトｎの下方側において、傾斜板ｉの上端部ｉｂの水平位置が、ダクトｎの最先端部ｎａの水平位置よりも更にダクトｎ側に引き伸ばされた状態に形成されるようにする。
かくのごとく、傾斜板ｉの配置や形状を形成することにより、冷却用の吸気流Ａｉが排気される排気流Ａｏの風路ｏが確保されて、吸気流Ａｉによる放熱効率を向上させると同時に、筐体ａの上面部に穿設された排気孔ｃから侵入してくる異物を傾斜板ｉによってより確実に除去することが可能となる。
【００４３】
次に、本発明に係るプロジェクタ装置の第５の実施形態について説明する。図５は、本発明に係るプロジェクタ装置に関する第５の実施形態を示すプロジェクタ装置の断面図である。図５に示す断面図は、図１の場合と同様に、プロジェクタ装置を縦置き型で使用する場合の側面断面図として、図１１（Ｂ）のＸ−Ｘに相当する位置から矢視した状態を示し、従来技術における図１１（Ｃ）に対応した図面である。
【００４４】
図５は、ランプユニットｆの上方に、筐体ａの壁面側に向かって水平面から下降する傾斜を持つ傾斜板ｉ，ｉ′と筐体ａの壁面に穿設した排出孔ｓ，ｓ′とを、筐体ａ内の対向壁面それぞれに高さ位置を変えて複数箇所に配設する場合を示すものである。なお、図５には、傾斜板として、筐体ａの互いに対向する壁面に取り付けられた傾斜板ｉ，ｉ′の２枚のみを示しているが、場合によっては、更に多くの複数枚の傾斜板を配設しても良い。
図５においては、複数枚の各傾斜板ｉ，ｉ′の上面側が垂直方向となす傾斜角度Ｉ，Ｉ′としては、それぞれ９０度より小さく設定して、冷却用の吸気流Ａｉが上方向に向かって流れ易く排気されるように、排気流Ａｏの風路ｏが確保されると共に、筐体ａの上面部に穿設された排気孔ｃから侵入する異物や流動物を、各傾斜板ｉ，ｉ′に沿ってそれぞれの排出孔ｓ，ｓ′に対して誘導し易くなるように配設されている。なお、図５には示していないが、図４に示したように、より大きな異物を取り出すための大口径からなる排出孔を、大口径排出孔ｕ，ｕ′として、それぞれの排出孔ｓ，ｓ′に連続させて更に穿設して備えるようにしても良い。
【００４５】
更に、図５の場合においても、排気孔ｃから侵入する異物や流動物を排出するために、互いに対向する筐体ａの壁面に取り付けられている各傾斜板ｉ，ｉ′が、排気流Ａｏの風路ｏ内に突出している突出物を形成することとなるので、図４において説明した場合と全く同様の傾斜板の配設方法を用いることにより、吸気流Ａｉによる放熱効率を向上させると共に、排気孔ｃから侵入してくる異物をより確実に除去することを可能とする。
即ち、図４の場合と同様に、風路ｏ内への突出物である各傾斜板ｉ，ｉ′を垂直方向から見た場合に、対向する筐体ａ壁面に配設された各傾斜板ｉ，ｉ′の上端部ｉｂ，ｉｂ′付近に互いに重なり合う部分が存在する状態になるように、各傾斜板ｉ，ｉ′の長さＬ，Ｌ′及び傾斜角度Ｉ，Ｉ′を形成する。
【００４６】
言い換えれば、傾斜板ｉと傾斜板ｉ′とが重なり合う度合いを示す重なり幅Ｄを、傾斜板ｉの風路ｏ内に最も突出した上端部ｉｂと傾斜板ｉ′の風路ｏ内に最も突出した上端部ｉｂ′との間の水平距離を用いて示すと、
Ｄ  ＝  （ｉｂ′の水平位置）−（ｉｂの水平位置）
で表される。ここで、ｉｂ′の水平位置及びｉｂの水平位置は、水平方向の座標の原点が風路ｏ内に突出する傾斜板ｉ′側の筐体ａ壁面位置（即ち図５に示す断面図の筐体左側壁面位置）にあるものとして図５の紙面右方向に位置するほど大きい値を示すものとする。
上式において、傾斜板ｉ′と傾斜板ｉとの両者が垂直方向から見て互いに重なり合う部分が存在する状態となる場合とは、少なくとも、Ｄ＞０の関係が成立する場合である。
【００４７】
即ち、少なくともＤ＞０の関係が成立するように、各傾斜板ｉ，ｉ′の長さＬ，Ｌ′及び傾斜角度Ｉ，Ｉ′を決定して、傾斜板ｉ′の下方側において、傾斜板ｉの上端部ｉｂの水平位置が、傾斜板ｉ′の上端部ｉｂ′の水平位置よりも更に傾斜板ｉ′側に位置するような状態に形成されるようにする。
かくのごとく、各傾斜板ｉ，ｉ′の配置や形状を形成することにより、冷却用の吸気流Ａｉが排気される排気流Ａｏの風路ｏが確保されて吸気流Ａｉによる放熱効率を向上させると同時に、筐体ａの上面部に穿設された排気孔ｃから侵入してくる異物や流動物を複数枚の傾斜板ｉ，ｉ′によって更により確実に除去することが可能となる。
【００４８】
なお、複数枚の各傾斜板ｉ，ｉ′のうち、垂直方向の最下段に配設されている傾斜板ｉは、図５に示すように、ランプユニットｆの上方に垂直方向から配設角度Ｈだけ傾斜して配設されたフィルタｈの傾斜下方側に相当する筐体ａ壁面側に、傾斜角度Ｉだけ傾斜されて、筐体ａ壁面に接するように形成されており、傾斜板ｉの下端部ｉａが筐体ａ壁面に当接して配設される。ここで、図５に示す実施例においては、最下段に配設されている傾斜板ｉの傾斜角度Ｉとフィルタｈの配設角度Ｈとが相等しく、傾斜板ｉがフィルタｈの上面の傾斜面に沿ってフィルタｈの傾斜下方側に配設されており、傾斜板ｉの上端部ｉｂは、フィルタｈの上面側に当接し、傾斜して配設されたフィルタｈ上に集められた異物や流動物も、傾斜板ｉの上面を伝って、筐体ａ壁面に案内される例を示している。
【００４９】
図６は、図１乃至図５において説明した本発明に係るプロジェクタ装置を縦置き型に使用した場合の外観の一例を示す外観図であり、図６（Ａ）は、排気孔ｃが穿設されている筐体ａ上面部を示す平面図であり、図６（Ｂ）は、冷却用の吸気流Ａｉを吸気する冷却孔ｄが備えられた筐体ａ正面を示す正面図であり、図６（Ｃ）は、投射レンズｂが備えられた筐体ａ側面を示す側面図である。また、図７は、図１乃至図５において説明した本発明に係るプロジェクタ装置を縦置き型に使用した場合の外観背面の一例を示す外観図であり、図６（Ｂ）の筐体ａの背面側を示す背面図である。
【００５０】
図７の背面図に示すように、筐体ａ壁面には、筐体ａ上面に穿設された排気孔ｃから侵入してくる小さな異物や流動物を排出するための排出孔ｓの孔を着脱自在に覆っている排出蓋ｐ′と、大きな異物を取り出すための大口径排出孔ｕの孔を着脱自在に覆っている蓋即ちカバーｐとが備えられていて、排気孔ｃから侵入してくる異物や流動物を図１乃至図４に説明したようなフィルタｈ、傾斜板ｉあるいは傾斜板ｊ１，ｊ２，ｊ３に沿って排出孔ｓや大口径排出孔ｕから確実に筐体ａ外部に排出することにより、異物や流動物がランプユニットｆにまで侵入することが無く、ランプの破裂や感電の発生を確実に防止することができる構造とされている。
【００５１】
更に、プロジェクタ装置を縦置き型で使用する際に、図１乃至図４においてそれぞれ説明したように、底面や側面下部に備えられた冷却孔ｄを介して吸気された吸気流Ａｉの冷却後の高温排気流Ａｏを筐体ａ上面部の排気孔ｃから排気する構造としているので、ランプユニットｆの冷却効率を高めつつ、尚且つ、ランプユニットｆを冷却した高温の排気流Ａｏによって齎される、床面Ｆの損傷や投射レンズｂが投射する投射画面の陽炎現象も防止可能となるのみならず、高温排気流Ａｏが周囲の観察者に直接当たるような不快感も確実に除去することができる。
更に、ランプユニットｆからの洩れ光を防止するルーバｇを備えることにより、ランプユニットｆの光が排出孔ｓや大口径排出孔ｕから周囲の観察者の目に直接入ってしまう事態も防止することができる。
【００５２】
なお、図６（Ｂ）の正面図に示す例においては、図７の背面図の場合とは異なり、排出孔ｓの孔を着脱自在に覆っている排出蓋ｐ′や、大口径排出孔ｕの孔を着脱自在に覆っているカバーｐが備えられていない場合を示しているが、本発明に係るプロジェクタ装置は、図５において説明したように、複数枚の傾斜板ｉ，ｉ′及び排出孔ｓ，ｓ′更には大口径排出孔ｕ，ｕ′を互いに対向する筐体壁面に複数備えることも可能であり、図７に示す筐体ａの背面側のみならず、図６（Ｂ）の筐体ａの正面側にも備えさせるようにしても構わない。
【００５３】
【発明の効果】
前述したように、本発明に係るプロジェクタ装置によれば、以下のような効果が齎される。
即ち、排気流を排気するための排気孔を筐体上面部に配置して縦置き型で使用するプロジェクタ装置の筐体内のランプユニット上方に、異物や流動物の侵入を防止するフィルタを傾斜配置すると共に、傾斜配置させた該フィルタに沿って、あるいは、予め定められた傾斜角度で傾斜させた傾斜板を筐体壁面に取り付けると共に、該傾斜板により筐体壁面に案内されて集められた異物や流動物を筐体壁面から外部に排出するための排出孔を筐体壁面に備えるような構成としているので、筐体上面部に排気孔を配置したプロジェクタ装置を縦置き型として使用する場合においても、筐体上方に向けて開口部を有する排気孔から侵入した異物や流動物を確実に筐体外に排出することを可能とし、もって、異物や流動物が高温のランプユニットにまで侵入することが無く、ランプの破裂や感電の発生を確実に防止することができる。
【００５４】
更には、侵入してきた異物を筐体壁面の排出孔に案内するための傾斜板の長さや傾斜角度を、対向する筐体壁面から突出する他の傾斜板やダクトなどの突起物と垂直方向から見た際に互いに重なり合う部分が存在するように配設することにより、筐体上面部に穿設されている排気孔から見た場合にランプユニットを見通すことができない状態に設定することが可能であり、侵入してきた異物や流動物がランプユニットにまで侵入するような事態を更に確実に防止することが可能である。
【００５５】
同時に、プロジェクタ装置を縦置き型で使用する際に高温の排気流を筐体上面部から排気する構造としているので、ランプユニットの冷却効率を高めつつ、尚且つ、ランプユニットを冷却した高温の排気流によって齎される、床の損傷や投射画面の陽炎現象を防止することが可能であるのみならず、高温排気流が周囲の観察者に対して直接当たるような不快感も確実に除去することができる。更に、ランプユニットからの洩れ光を防止するルーバを備えることにより、異物や流動物を筐体外部に排出するために設けた排気孔から、ランプユニットの光が周囲の観察者の目に直接入ってしまうような事態も防止することができる。
【００５６】
また、排気孔よりも更に大きな径からなる筐体排出孔をも筐体壁面に備えることにより、ランプ冷却効率を高めつつ、排気孔から侵入する可能性があるより大きな異物も確実に取り除くことも可能である。
【図面の簡単な説明】
【図１】本発明に係るプロジェクタ装置に関する第１の実施形態を示すプロジェクタ装置の断面図である。
【図２】本発明に係るプロジェクタ装置に関する第２の実施形態を示すプロジェクタ装置の断面図である。
【図３】本発明に係るプロジェクタ装置に関する第３の実施形態を示すプロジェクタ装置の断面図である。
【図４】本発明に係るプロジェクタ装置に関する第４の実施形態を示すプロジェクタ装置の断面図である。
【図５】本発明に係るプロジェクタ装置に関する第５の実施形態を示すプロジェクタ装置の断面図である。
【図６】本発明に係るプロジェクタ装置を縦置き型に使用した場合の外観の一例を示す外観図である。
【図７】本発明に係るプロジェクタ装置を縦置き型に使用した場合の外観背面の一例を示す外観図である。
【図８】ルーバ制御機能付きプロジェクタ装置の排気手段に関する従来技術を示す断面図である。
【図９】従来技術におけるプロジェクタ装置を横置き型で使用する場合の外観を示す外観図である。
【図１０】図９に示すプロジェクタ装置横置きの側面キャビネットを剥離した状態の側面を示す側面キャビネット剥離図である。
【図１１】従来技術におけるプロジェクタ装置を縦置き型で使用する場合の各面のキャビネットを剥離した状態を示すキャビネット剥離図である。
【符号の説明】
Ａｉ…吸気流、Ａｏ…排気流、Ｂ，Ｂ′…侵入径路、Ｄ…重なり幅、Ｆ…床面、Ｈ…配設角度、Ｉ，Ｉ′…傾斜角度、Ｊ１，Ｊ２，Ｊ３…傾斜角度、Ｌ，Ｌ′…長さ、Ｔ…熱気、Ｘ…矢視方向、ａ，ａ′…筐体、ｂ…投射レンズ、ｃ，ｃ′…排気孔、ｄ…冷却孔、ｅ，ｅ′…ファン、ｆ…ランプユニット、ｇ…ルーバ、ｇ′…可動式ルーバ、ｈ，ｈ′…フィルタ、ｉ，ｉ′…傾斜板、ｉａ…下端部、ｉｂ，ｉｂ′…上端部、ｊ１，ｊ２，ｊ３…傾斜板、ｊａ…最下端部、ｋ…ランプドア、ｌ…吸気孔、ｍ…底脚、  ｎ…ダクト、ｎａ…最先端部、ｏ…風路、ｐ…カバー（蓋）、ｐ′…排出蓋、ｑ…カバー爪、ｒ…基板、ｓ，ｓ′…排出孔、ｔ…発熱体、ｕ，ｕ′…大口径排出孔、ｖ…温度センサ、ｗ…障害物センサ、ｘ…制御回路部、ｚ…排気制御手段。
【図１】
2005010234.tif 000003
【図２】
2005010234.tif 000004
【図３】
2005010234.tif 000005
【図４】
2005010234.tif 000006
【図５】
2005010234.tif 000007
【図６】
2005010234.tif 000008
【図７】
2005010234.tif 000009
【図８】
2005010234.tif 000010
【図９】
2005010234.tif 000011
【図１０】
2005010234.tif 000012
【図１１】
2005010234.tif 000013